(57)【要約】【課題】放送記録装置の利便性を向上させることを課題とする。【解決手段】一以上のチャンネルの情報をトランスポートパケット群で表したトランスポートストリームＴＳ１からパーシャルトランスポートストリームを生成して記録媒体Ｍ１に記録する際、前記一以上のチャンネルから選ばれる一の記録用チャンネル（1ch）の情報を表したトランスポートパケット群ＧＰ１から字幕用トランスポートパケット（Ｃ１）とデータ放送用トランスポートパケット（Ｄ１）の少なくとも一方を削除した削除済トランスポートパケット群ＧＰ２を用いて前記パーシャルトランスポートストリームＴＳ３を生成して前記記録媒体Ｍ１に記録する。【選択図】図５
2012147223.tif 000002
【特許請求の範囲】
【請求項１】
一以上のチャンネルの情報をトランスポートパケット群で表したトランスポートストリームからパーシャルトランスポートストリームを生成して記録媒体に記録する放送記録装置において、
前記トランスポートストリームに含まれる字幕用トランスポートパケットとデータ放送用トランスポートパケットの少なくとも一方の対象トランスポートパケットを残す通常記録モードと、前記対象トランスポートパケットを削除する削減記録モードと、を含む記録モードの選択入力を受け付けるモード選択手段と、
前記通常記録モードの選択入力が受け付けられたとき、前記一以上のチャンネルから選ばれる一の記録用チャンネルの情報を表したトランスポートパケット群を用いて前記パーシャルトランスポートストリームを生成して前記記録媒体に記録する通常記録手段と、
前記削減記録モードの選択入力が受け付けられたとき、前記一以上のチャンネルから選ばれる前記記録用チャンネルの情報を表したトランスポートパケット群から前記対象トランスポートパケットを削除した削除済トランスポートパケット群を用いて前記パーシャルトランスポートストリームを生成して前記記録媒体に記録する削減記録手段とを備えることを特徴とする放送記録装置。
【請求項２】
前記削減記録手段は、前記記録用チャンネルの情報を表したトランスポートパケット群に互いに異なる複数のパケット識別子の音声用トランスポートパケットが含まれるとき、該複数のパケット識別子から一のパケット識別子を除いたパケット識別子の音声用トランスポートパケットを前記トランスポートパケット群から削除した削除済トランスポートパケット群を用いて前記パーシャルトランスポートストリームを生成して前記記録媒体に記録することを特徴とする請求項１に記載の放送記録装置。
【請求項３】
前記削減記録手段は、前記記録用チャンネルの情報を表したトランスポートパケット群に互いに異なる複数のパケット識別子の映像用トランスポートパケットが含まれるとき、該複数のパケット識別子から一のパケット識別子を除いたパケット識別子の映像用トランスポートパケットを前記トランスポートパケット群から削除した削除済トランスポートパケット群を用いて前記パーシャルトランスポートストリームを生成して前記記録媒体に記録することを特徴とする請求項１又は請求項２に記載の放送記録装置。
【請求項４】
一以上のチャンネルの情報をトランスポートパケット群で表したトランスポートストリームからパーシャルトランスポートストリームを生成して記録媒体に記録する放送記録装置において、
前記一以上のチャンネルから選ばれる一の記録用チャンネルの情報を表したトランスポートパケット群から字幕用トランスポートパケットとデータ放送用トランスポートパケットの少なくとも一方を削除した削除済トランスポートパケット群を用いて前記パーシャルトランスポートストリームを生成して前記記録媒体に記録する削減記録手段を備えることを特徴とする放送記録装置。
【請求項５】
一以上のチャンネルの情報をトランスポートパケット群で表したトランスポートストリームからパーシャルトランスポートストリームを生成して記録媒体に記録する放送記録方法において、
前記一以上のチャンネルから選ばれる一の記録用チャンネルの情報を表したトランスポートパケット群から字幕用トランスポートパケットとデータ放送用トランスポートパケットの少なくとも一方を削除した削除済トランスポートパケット群を用いて前記パーシャルトランスポートストリームを生成して前記記録媒体に記録することを特徴とする放送記録方法。
【請求項６】
複数のチャンネルの情報をトランスポートパケット群で表したトランスポートストリームからパーシャルトランスポートストリームを生成して記録媒体に記録する放送記録装置において、
前記トランスポートストリームに含まれる字幕用トランスポートパケット及びデータ放送用トランスポートパケットを残す通常記録モードと、前記字幕用トランスポートパケット及び前記データ放送用トランスポートパケットを削除し映像用トランスポートパケット及び音声用トランスポートパケットをそれぞれ一のパケット識別子のトランスポートパケットのみとする削減記録モードと、を含む記録モードの選択画面の表示処理を行い、表示される記録モードの中から一の記録モードの選択入力を受け付けるモード選択手段と、
前記通常記録モードの選択入力が受け付けられたとき、前記複数のチャンネルから選ばれる一の記録用チャンネルの情報を表したトランスポートパケット群を前記トランスポートストリームから選択し、該選択したトランスポートパケット群を用いて前記パーシャルトランスポートストリームを生成して前記記録媒体に記録する通常記録手段と、
前記削減記録モードの選択入力が受け付けられたとき、前記複数のチャンネルから選ばれる前記記録用チャンネルの情報を表したトランスポートパケット群から前記字幕用トランスポートパケット及び前記データ放送用トランスポートパケットを削除し前記映像用トランスポートパケット及び前記音声用トランスポートパケットをそれぞれ一のパケット識別子のトランスポートパケットのみとした削除済トランスポートパケット群を選択し、該選択した削除済トランスポートパケット群を用いて前記パーシャルトランスポートストリームを生成して前記記録媒体に記録する削減記録手段とを備えることを特徴とする放送記録装置。
【発明の詳細な説明】
【技術分野】
【０００１】
本発明は、一以上のチャンネルの情報をトランスポートパケット群で表したトランスポートストリームからパーシャルトランスポートストリームを生成して記録媒体に記録する放送記録装置及び放送記録方法に関する。
【背景技術】
【０００２】
デジタル放送のTransport Stream（トランスポートストリーム；以下、ＴＳとも記載）には、複数のチャンネルの情報が含まれている。ＴＳの情報をハードディスクやブルーレイディスク等に記録する際には、運用規定に従ってＴＳの情報を一つのチャンネルの情報しか含まないパーシャルＴＳ（パーシャルトランスポートストリーム）に削減している。日本のＢＳ（Broadcasting Satellite）デジタルの規格書には、ARIB STD-B21やARIB TR-B15がある。また、欧州デジタル放送の規格書には、EN300 468がある。さらに、北米デジタル放送の規格書には、EIA/CEA-775.2がある。
【０００３】
特許文献１〜４には、上記運用規定に従ってＴＳからパーシャルＴＳを生成することが記載されている。このパーシャルＴＳは、映像、音声、字幕、データ放送、等の１チャンネル分の情報が含まれる。例えば、特許文献１の図３及び段落００１８には、入力ストリームから出力ストリームが生成される様子が示されている。入力ストリームには、３チャンネル分のＴＳパケット（トランスポートパケット）が含まれている。各チャンネルのＴＳパケット群に含まれ得るＴＳパケットには、映像用ＴＳパケット、音声用ＴＳパケット、字幕用ＴＳパケット、データ放送用ＴＳパケット、等がある。各チャンネルの映像用ＴＳパケットは、Ｖ１，Ｖ２，Ｖ３で表されている。従って、出力ストリームには、Ｖ１で表される映像用ＴＳパケット等、１チャンネルのＴＳパケットが含まれる。特許文献１の段落００１８には、出力ストリームにデータ放送のＴＳパケットが含まれることが示されている。
【先行技術文献】
【特許文献】
【０００４】
【特許文献１】特開２００６−３５２７２１号公報
【特許文献２】特開２００６−０１４２２５号公報
【特許文献３】特開２００５−１６００４０号公報
【特許文献４】特開２００２−０１０１８２号公報
【発明の概要】
【発明が解決しようとする課題】
【０００５】
パーシャルＴＳを記録するための記録媒体のデータ容量には、限りがある。従って、記録データ量を削減することができると、都合が良い。
【０００６】
そこで、本発明は、放送記録装置の利便性を向上させることを目的としている。
【課題を解決するための手段】
【０００７】
上記目的を達成するため、本発明は、一以上のチャンネルの情報をトランスポートパケット群で表したトランスポートストリームからパーシャルトランスポートストリームを生成して記録媒体に記録する放送記録装置において、
前記トランスポートストリームに含まれる字幕用トランスポートパケットとデータ放送用トランスポートパケットの少なくとも一方の対象トランスポートパケットを残す通常記録モードと、前記対象トランスポートパケットを削除する削減記録モードと、を含む記録モードの選択入力を受け付けるモード選択手段と、
前記通常記録モードの選択入力が受け付けられたとき、前記一以上のチャンネルから選ばれる一の記録用チャンネルの情報を表したトランスポートパケット群を用いて前記パーシャルトランスポートストリームを生成して前記記録媒体に記録する通常記録手段と、
前記削減記録モードの選択入力が受け付けられたとき、前記一以上のチャンネルから選ばれる前記記録用チャンネルの情報を表したトランスポートパケット群から前記対象トランスポートパケットを削除した削除済トランスポートパケット群を用いて前記パーシャルトランスポートストリームを生成して前記記録媒体に記録する削減記録手段とを備えることを特徴とする。
【０００８】
また、本発明は、一以上のチャンネルの情報をトランスポートパケット群で表したトランスポートストリームからパーシャルトランスポートストリームを生成して記録媒体に記録する放送記録装置において、
前記一以上のチャンネルから選ばれる一の記録用チャンネルの情報を表したトランスポートパケット群から字幕用トランスポートパケットとデータ放送用トランスポートパケットの少なくとも一方を削除した削除済トランスポートパケット群を用いて前記パーシャルトランスポートストリームを生成して前記記録媒体に記録する削減記録手段を備えることを特徴とする。
【０００９】
さらに、本発明は、一以上のチャンネルの情報をトランスポートパケット群で表したトランスポートストリームからパーシャルトランスポートストリームを生成して記録媒体に記録する放送記録方法において、
前記一以上のチャンネルから選ばれる一の記録用チャンネルの情報を表したトランスポートパケット群から字幕用トランスポートパケットとデータ放送用トランスポートパケットの少なくとも一方を削除した削除済トランスポートパケット群を用いて前記パーシャルトランスポートストリームを生成して前記記録媒体に記録することを特徴とする。
【発明の効果】
【００１０】
請求項１、請求項４、請求項６に係る発明によれば、利便性の良い放送記録装置を提供することができる。
請求項２、請求項３に係る発明では、パーシャルトランスポートストリームの記録データ量をさらに削減することができる。
請求項５に係る発明では、放送記録装置の利便性を向上させることができる。
【図面の簡単な説明】
【００１１】
【図１】本発明の一実施形態に係る記録再生装置（放送記録装置）１の回路構成を例示するブロック図である。
【図２】操作入力部２０の外観を例示する正面図である。
【図３】トランスポートストリームＴＳ１の構造を模式的に例示する図である。
【図４】通常記録モードで生成されるパーシャルトランスポートストリームＴＳ２の構成を模式的に例示する図である。
【図５】削減記録モードで生成されるパーシャルトランスポートストリームＴＳ３の構成を模式的に例示する図である。
【図６】記録再生装置１で行われる記録モード選択処理を例示するフローチャートである。
【図７】記録再生装置１で行われる通常記録処理を例示するフローチャートである。
【図８】記録再生装置１で行われる削減記録処理を例示するフローチャートである。
【図９】変形例において削減記録モードで生成されるパーシャルトランスポートストリームＴＳ３の構成を模式的に示す図である。
【図１０】変形例において削減記録モードで生成される各種パーシャルトランスポートストリームＴＳ３の構成を模式的に示す図である。
【発明を実施するための形態】
【００１２】
（１）放送記録装置の概略：
図１に例示する放送記録装置（１）は、一以上のチャンネルの情報をＴＳパケット群（トランスポートパケット群）で表したトランスポートストリームＴＳ１からパーシャルＴＳ（パーシャルトランスポートストリーム）を生成して記録媒体Ｍ１に記録する。以下、図２〜８も参照して、説明する。
【００１３】
放送記録装置（１）は、放送を記録する装置であればよく、図１に例示される記録再生装置１、記録装置を有するテレビジョン、等がある。テレビジョン放送には、地上デジタル放送、ＢＳ（Broadcasting Satellite）放送、ＣＳ（Communication Satellite）放送、等が含まれる。
記録再生装置には、ハードディスク記録再生装置、ＢＤ（Blue-ray Disc）記録再生装置、ＤＶＤ（Digital Versatile Disk）記録再生装置、ビデオデッキ、テレビジョンが一体化された記録再生装置、これらの組合せ、等が含まれる。
【００１４】
図１に例示される放送記録装置（１）は、一以上のチャンネル（1ch〜3ch）から選ばれる一の記録用チャンネル（1ch）の情報を表したＴＳパケット群ＧＰ１から字幕用ＴＳパケット（字幕用トランスポートパケットＣ１）とデータ放送用ＴＳパケット（データ放送用トランスポートパケットＤ１）の少なくとも一方を削除した削除済ＴＰパケット群（削除済トランスポートパケット群）ＧＰ２を用いてパーシャルトランスポートストリームＴＳ３を生成して記録媒体Ｍ１に記録する削減記録手段Ｕ３を備える。
【００１５】
通常のパーシャルＴＳは、図４に例示するパーシャルトランスポートストリームＴＳ２のように、映像、音声、字幕、データ放送、等の１チャンネル分の情報が含まれる。本放送記録装置は、１チャンネル分の情報から字幕用ＴＳパケット（Ｃ１）とデータ放送用ＴＳパケット（Ｄ１）の少なくとも一方が削除される。このようにパーシャルＴＳの記録データ量が削減されるので、本放送記録装置は利便性が良い。
【００１６】
また、本放送記録装置（１）は、モード選択手段Ｕ１、通常記録手段Ｕ２、削減記録手段Ｕ３、を備える。モード選択手段Ｕ１は、トランスポートストリームＴＳ１に含まれる字幕用ＴＳパケット（Ｃ１）とデータ放送用ＴＳパケット（Ｄ１）の少なくとも一方の対象ＴＳパケット（対象トランスポートパケット）を残す通常記録モード（９１ａ）と、前記対象ＴＳパケットを削除する削減記録モード（９１ｂ）と、を含む記録モードの選択入力を受け付ける。通常記録手段Ｕ２は、通常記録モード（９１ａ）の選択入力が受け付けられたとき、一以上のチャンネル（1ch〜3ch）から選ばれる一の記録用チャンネル（1ch）の情報を表したＴＳパケット群ＧＰ１を用いてパーシャルトランスポートストリームＴＳ２を生成して記録媒体Ｍ１に記録する。削減記録手段Ｕ３は、削減記録モード（９１ｂ）の選択入力が受け付けられたとき、前記一以上のチャンネル（1ch〜3ch）から選ばれる一の記録用チャンネル（1ch）の情報を表したＴＳパケット群ＧＰ１から前記対象ＴＳパケットを削除した削除済ＴＳパケット群ＧＰ２を用いてパーシャルトランスポートストリームＴＳ３を生成して記録媒体Ｍ１に記録する。
【００１７】
削減記録モード（９１ｂ）のとき、１チャンネル分の情報から字幕用ＴＳパケット（Ｃ１）とデータ放送用ＴＳパケット（Ｄ１）の少なくとも一方が削除され、パーシャルＴＳの記録データ量が削減される。従って、本放送記録装置は、利便性が良い。
ここで、上記記録モードには、通常記録モード及び削減記録モード以外の記録モードが含まれてもよい。
【００１８】
上記削減記録手段Ｕ３は、記録用チャンネル（1ch）の情報を表したＴＳパケット群ＧＰ１に互いに異なる複数のパケット識別子ＰＩＤの音声用ＴＳパケット（音声用トランスポートパケットＡ１１，Ａ１２）が含まれるとき、該複数のパケット識別子ＰＩＤから一のパケット識別子ＰＩＤを除いたパケット識別子ＰＩＤの音声用ＴＳパケット（Ａ１２）をＴＳパケット群ＧＰ１から削除した削除済ＴＳパケット群ＧＰ２を用いてパーシャルトランスポートストリームＴＳ３を生成して記録媒体Ｍ１に記録してもよい。すると、１チャンネル分の情報からさらに音声用ＴＳパケット（Ａ１２）が削除される。従って、パーシャルＴＳの記録データ量がさらに削減される。
【００１９】
上記削減記録手段Ｕ３は、記録用チャンネル（1ch）の情報を表したＴＳパケット群ＧＰ１に互いに異なる複数のパケット識別子ＰＩＤの映像用ＴＳパケット（映像用トランスポートパケットＶ１１，Ｖ１２）が含まれるとき、該複数のパケット識別子ＰＩＤから一のパケット識別子ＰＩＤを除いたパケット識別子ＰＩＤの映像用ＴＳパケット（Ｖ１２）をＴＳパケット群ＧＰ１から削除した削除済ＴＳパケット群ＧＰ２を用いてパーシャルトランスポートストリームＴＳ３を生成して記録媒体Ｍ１に記録してもよい。すると、１チャンネル分の情報からさらに映像用ＴＳパケット（Ｖ１２）が削除される。従って、パーシャルＴＳの記録データ量がさらに削減される。
【００２０】
また、モード選択工程と通常記録工程と削減記録工程を備えるなど削減記録手段Ｕ３に対応した工程を備える放送記録方法は、パーシャルＴＳの記録データ量を削減することができるので、放送記録装置の利便性を向上させることができる。
【００２１】
また、モード選択手段Ｕ１は、トランスポートストリームＴＳ１に含まれる字幕用ＴＳパケット（Ｃ１）及びデータ放送用ＴＳパケット（Ｄ１）を残す通常記録モード（９１ａ）と、字幕用ＴＳパケット（Ｃ１）及びデータ放送用ＴＳパケット（Ｄ１）を削除し映像用ＴＳパケット（Ｖ１１，Ｖ１２）及び音声用ＴＳパケット（Ａ１１，Ａ１２）をそれぞれ一のパケット識別子ＰＩＤのＴＳパケット（Ｖ１１，Ａ１１）のみとする削減記録モード（９１ｂ）と、を含む記録モードの選択画面（９１）の表示処理を行い、表示される記録モード（９１ａ，９１ｂ）の中から一の記録モードの選択入力を受け付けてもよい。
通常記録手段Ｕ２は、通常記録モード（９１ａ）の選択入力が受け付けられたとき、複数のチャンネル（1ch〜3ch）から選ばれる一の記録用チャンネル（1ch）の情報を表したＴＳパケット群ＧＰ１をトランスポートストリームＴＳ１から選択し、該選択したＴＳパケット群ＧＰ１を用いてパーシャルトランスポートストリームＴＳ２を生成して記録媒体Ｍ１に記録してもよい。
削減記録手段Ｕ３は、削減記録モード（９１ｂ）の選択入力が受け付けられたとき、複数のチャンネル（1ch〜3ch）から選ばれる一の記録用チャンネル（1ch）の情報を表したＴＳパケット群ＧＰ１から字幕用ＴＳパケット（Ｃ１）及びデータ放送用ＴＳパケット（Ｄ１）を削除し映像用ＴＳパケット（Ｖ１１，Ｖ１２）及び音声用ＴＳパケット（Ａ１１，Ａ１２）をそれぞれ一のパケット識別子ＰＩＤのＴＳパケット（Ｖ１１，Ａ１１）のみとした削除済ＴＳパケット群ＧＰ２を選択し、該選択した削除済ＴＳパケット群ＧＰ２を用いてパーシャルトランスポートストリームＴＳ３を生成して記録媒体Ｍ１に記録してもよい。
【００２２】
ここで、上記表示処理には、装置自らの表示部に表示する処理、外部機器に表示させる処理、等が含まれる。
【００２３】
（２）放送記録装置の構成：
図１に例示する記録再生装置（放送記録装置）１は、マイコン（マイクロコンピュータ）１１、受信部１２、デスクランブル部１３、トランスポートデコーダ１４、復号化部１５、記録再生部１６、操作入力部２０、不揮発性メモリ３０、等が互いに接続されて情報を入出力可能とされている。
【００２４】
受信部１２は、チューナ等で構成され、デジタルテレビジョン放送信号を受信し、復調、誤り訂正、等を行ってＴＳ（トランスポートストリーム）を再現する。このＴＳは、送信側の多重化装置（ＭＵＸ；MUltipleXerの略）において映像や音声等の複数のストリームが多重されたものである。例えばチューナがシンセサイザ方式である場合、ＰＬＬ（Phase Lock Loop）ループにおける可変分周回路の分周比のデータであるＰＬＬデータがマイコン１１から入力されると、アンテナから入力されるデジタルテレビジョン放送信号からＰＬＬデータに対応する周波数帯域の中間周波信号（ＩＦ；Intermediate Frequency）を抽出する。
【００２５】
デスクランブル部１３は、受信部１２で再現されたＴＳのスクランブルをＣＡＳ（Conditional Access System）カード等に記録された鍵情報を基に解除する。図３には、デスクランブル部１３で生成されるトランスポートストリームＴＳ１の構造を模式的に例示している。
なお、受信部１２で再現されるＴＳにスクランブルが掛けられていなければ、放送記録装置にデスクランブル部は不要となる。
【００２６】
ＴＳのデータ形式には、ＭＰＥＧ（Moving Picture Experts Group）２方式といったＭＰＥＧ方式等が用いられる。図３に示すトランスポートストリームＴＳ１は、１８８バイト固定長のＴＳパケット（トランスポートパケット）ＴＳＰ１が連続した信号列とされている。ＴＳパケットＴＳＰ１には、ヘッダＴＳＰ２及びペイロードＴＳＰ４が含まれ、アダプテーションフィールドＴＳＰ３が含まれることがある。ヘッダＴＳＰ２は、４バイトの長さを持ち、８ビット長の同期バイト、１３ビット長のＰＩＤ（パケット識別子；Packet Identification）、等を有している。このＰＩＤの値によって、ＴＳパケットの種類を識別することができる。ペイロードＴＳＰ４は、映像、音声、データ放送用データ、等、ＴＳパケットが伝送する情報を保持する。アダプテーションフィールドＴＳＰ３は、時刻情報等の付加的な情報を保持し、存在しない場合もある。
【００２７】
トランスポートデコーダ１４は、複数のストリームが多重されたトランスポートストリームＴＳ１に対してマイコン１１からの指示に従ったフィルタリングを行い、指定された番組の符号化映像データ、符号化音声データ、等を抽出してパーシャルＴＳを生成する。また、トランスポートデコーダ１４は、抽出した番組情報に基づいてＳＩＴ（Selection Information Table）を作成しパーシャルＴＳに多重する。
【００２８】
通常記録モードの設定において、記録再生装置１は、図４に例示するように記録用チャンネル（例えば1ch）の全てのパケットを抽出して記録用チャンネル以外のチャンネル（例えば2chと3ch）のパケットを削除する指示をマイコン１１から入力して内部メモリに保持する。図４のトランスポートストリームＴＳ１には、ＰＡＴ（Program Association Table）、ＮＩＴ（Network Information Table）、ＳＤＴ（Service Description Table）、ＥＩＴ（Event Information Table）、ＴＯＴ（Time Offset Table）、各チャンネルのＰＭＴ（Program Map Table）、各チャンネルの映像（Ｖ１１，Ｖ２１，Ｖ３１）、各チャンネルの音声（Ａ１１，Ａ１２，Ａ２１，Ａ２２，Ａ３１）、各チャンネルの字幕（Ｃ１１，Ｃ１２，Ｃ１３，Ｃ２１）、各チャンネルのデータ放送（Ｄ１，Ｄ２）、のパケットが含まれている。1chの字幕用ＴＳパケットを総称するとき、Ｃ１を付すことにする。各チャンネルのＰＭＴには、Ｐ１，Ｐ２，Ｐ３の符号を付している。
【００２９】
ここで、ＰＡＴは、ＴＳ内に一つだけ存在し、ＴＳに含まれるＰＭＴのＰＩＤ一覧等が含まれる。
ＮＩＴは、送信するネットワークに関する情報が含まれ、サービス形式の情報であるサービス記述子が含まれる。
ＳＤＴは、ＴＳにより提供されるサービスの番組情報名等が含まれる。
ＥＩＴは、番組の名称、放送日時、放送内容など番組に関連する情報が含まれ、ＥＰＧ作成に用いられる。
ＴＯＴは、現在の日付、時刻、及び、サマータイムの情報が含まれる。
ＰＭＴは、各チャンネルの映像、音声、字幕、データ放送、等のパケットのＰＩＤが格納される。
ＳＩＴは、パーシャルＴＳで伝送されるサービスに関する情報の指示が行われる。
【００３０】
通常記録モードでは、トランスポートストリームＴＳ１からＮＩＴ、ＳＤＴ、ＥＩＴ、ＴＯＴ、及び、記録用チャンネル以外のチャンネル（2chと3ch）のパケットが削除され、ＰＡＴが書き換えられ、ＳＩＴが生成される。
【００３１】
削減記録モードの設定において、記録再生装置１は、図５に例示するように記録用チャンネル（例えば1ch）の中で一つのＰＩＤを有する映像用ＴＳパケット（例えばＶ１１）と一つのＰＩＤを有する音声用ＴＳパケット（例えばＡ１１）とを抽出して、字幕用ＴＳパケット（例えばＣ１１，Ｃ１２，Ｃ１３）、データ放送用ＴＳパケット（例えばＤ１）、及び、記録用チャンネル以外のチャンネル（例えば2chと3ch）のパケットを削除する指示をマイコン１１から入力して内部メモリに保持する。
削減記録モードでは、トランスポートストリームＴＳ１からＮＩＴ、ＳＤＴ、ＥＩＴ、ＴＯＴ、記録用チャンネルの字幕用ＴＳパケット（Ｃ１１，Ｃ１２，Ｃ１３）及びデータ放送用ＴＳパケット（Ｄ１）、並びに、記録用チャンネル以外のチャンネル（2chと3ch）のパケットが削除され、ＰＭＴ及びＰＡＴが書き換えられ、ＳＩＴが生成される。パーシャルトランスポートストリームＴＳ３のＰＭＴには、Ｐ１’の符号を付している。
【００３２】
復号化部１５は、パーシャルトランスポートストリームＴＳ２，ＴＳ３の符号化映像データ、符号化音声データ、等を復号化し、表示のための映像信号、音声出力のための音声信号、等を生成する。生成される映像信号は、映像出力端子等から外部の表示装置１００等へ出力される。生成される音声信号は、音声出力端子等から外部の音声出力装置（表示装置１００を含む）へ出力される。
【００３３】
記録再生部１６は、例えばハードディスクドライブ等で構成され、トランスポートデコーダ１４からのパーシャルＴＳをハードディスク等の記録媒体Ｍ１に記録したり、記録媒体Ｍ１からパーシャルＴＳを読み出したりする。ここで、通常記録モードのときには、図４に例示するパーシャルトランスポートストリームＴＳ２が記録される。削減記録モードのときには、図５に例示するパーシャルトランスポートストリームＴＳ３が記録される。
【００３４】
操作入力部２０は、図２に例示するリモコン（リモートコントロール装置）等で構成され、ユーザからの操作入力を受け付ける。このリモコンは、リモコン制御部２１、各種操作キー２２、赤外線送受信部２３、等を備えている。操作キー２２には、電源キー２２ａ、メニューキー２２ｂ、カーソルキー２２ｃ、決定キー２２ｄ、録画キー２２ｅ、再生キー２２ｆ、数字キー２２ｇ、等が含まれる。
【００３５】
不揮発性メモリ３０は、例えばフラッシュメモリやＥＥＰＲＯＭ（Electrically Erasable and Programmable Read Only Memory）といった書き換え可能な不揮発性半導体メモリで構成され、設定された記録モードを表すモード情報Ｄ１１等が格納される。不揮発性メモリ３０は、ハードディスクといった磁気ディスク等でもよい。
【００３６】
マイコン１１は、内部のバスに接続されたＣＰＵ（Central Processing Unit）１１ａ、半導体メモリ（１１ｂ，１１ｃ）、時計回路１１ｄ、ＯＳＤ（On-Screen Display）回路１１ｅ、Ｉ／Ｏ（入出力）回路１１ｆ、等を備えている。ＣＰＵ１１ａは、ＲＡＭ（Random Access Memory）１１ｃをワークエリアとして利用しながらＲＯＭ（Read Only Memory）１１ｂに書き込まれた記録再生装置用の制御プログラムを実行し、記録再生装置１全体の動作を制御する。ＲＯＭ１１ｂには、記録再生装置１をモード選択手段Ｕ１等として機能させるプログラム、等が書き込まれている。時計回路１１ｄは、現在時刻を計時し、一定時間毎に割込信号を生成してＣＰＵ１１ａへ出力可能である。ＯＳＤ回路１１ｅは、ＯＳＤ画面の被重畳信号を生成して復号化部１５へ出力する。
【００３７】
ところで、デジタル放送のＴＳには、図４のトランスポートストリームＴＳ１に例示されるように、複数のチャンネルの情報が含まれている。ＴＳの情報をハードディスク等に記録する際には、運用規定に従ってＴＳの情報を一つのチャンネルの情報しか含まないパーシャルＴＳに削減している。さらに、その一つのチャンネルの中にも映像、音声、字幕、データ放送といった複数のストリームが含まれる。しかし、ユーザが実際に番組を視聴する時は主となる映像と音声さえあれば十分であることが多い。
【００３８】
そこで、一実施形態として、本放送記録装置は、記録する映像と音声を一つだけという最低限の情報のみを持つパーシャルＴＳにＴＳから変換してハードディスク等に記録し、ＴＳ録画の際のデータ量を削減させている。また、ＴＳから選ばれる一つのチャンネルに含まれる映像、音声、字幕、データ放送のデータを記録する通常記録モードよりもさらに記録するデータ量を削減するために、本放送記録装置に映像と音声のそれぞれ一つのみを記録する削減記録モードを設けている。余分な映像、音声、字幕、データ放送を記録しない削減記録モードを設けることで、録画するデータ量の削減を図ることができる。
【００３９】
すなわち、本放送記録装置は、一以上のチャンネル（例えば1ch〜3ch）から選ばれる一の記録用チャンネル（例えば1ch）の情報を表したＴＳパケット群（ＧＰ１）から字幕用ＴＳパケット（Ｃ１）とデータ放送用ＴＳパケット（Ｄ１）の少なくとも一方を削除した削除済ＴＳパケット群（ＧＰ２）を用いてパーシャルトランスポートストリームＴＳ３を生成して記録媒体Ｍ１に記録する。
【００４０】
また、一実施形態として、本放送記録方法は、以下のようにしてパーシャルＴＳを記録する。
まず、ＴＳを録画する際、ＰＭＴに含まれるＰＩＤで表される映像と音声のストリームのうち、現在の放送記録装置の設定で優先されるストリームを選択する。そのストリームのＰＩＤのみをパーシャルＴＳ化のためのフィルタ（トランスポートデコーダ１４）に反映させることで、記録するストリームを一つの映像と一つの音声のみにする。また、同時に記録させるセクションデータについては、ＰＡＴは通常のパーシャル化処理（当該チャンネルの情報のみを残す）とし、ＰＭＴは記録対象となるストリームの情報以外を削除して記録を行う。その他の情報（ＳＩＴ等）についても、記録されないストリームに関連した情報は省く形でデータを記録する。
【００４１】
すなわち、本放送記録方法は、一以上のチャンネル（例えば1ch〜3ch）から選ばれる一の記録用チャンネル（例えば1ch）の情報を表したＴＳパケット群（ＧＰ１）から字幕用ＴＳパケット（Ｃ１）とデータ放送用ＴＳパケット（Ｄ１）の少なくとも一方を削除した削除済ＴＳパケット群（ＧＰ２）を用いてパーシャルトランスポートストリームＴＳ３を生成して記録媒体Ｍ１に記録する。
【００４２】
（３）放送記録装置の動作、作用、及び、効果：
次に、放送記録装置（１）の動作、作用、及び、効果を説明する。
図６は、放送記録装置（１）で行われる記録モード選択処理をフローチャートにより例示している。この処理は、マイコン１１が主体となって行い、例えばメニューキー２２ｂの押し操作により表示されるメニュー画面に含まれる所定の記録モード選択項目をカーソルキー２２ｃの操作により選択して決定キー２２ｄを押す操作を受け付けたときに開始し、マルチタスクにより他の処理と並列して行われる。ここで、ステップＳ１０２〜Ｓ１０４はモード選択手段Ｕ１に対応し、ステップＳ１０８は通常記録手段Ｕ２に対応し、ステップＳ１１０は削減記録手段Ｕ３に対応している。以下、「ステップ」の記載を省略する。
【００４３】
記録モード選択処理が開始されると、放送記録装置（１）は、図６に示すような記録モード選択画面９１の表示処理を行う（Ｓ１０２）。映像表示機能の無い記録再生装置等の放送記録装置は、例えば、ＯＳＤ回路１１ｅから記録モード選択画面９１を表示させるＯＳＤ信号を外部の表示装置１００へ送出して該表示装置１００に記録モード選択画面９１を表示させる処理を行う。記録装置を内蔵する表示装置等の放送記録装置は、例えば、ＯＳＤ回路１１ｅから記録モード選択画面９１を表示させるＯＳＤ信号を自らの表示部へ送出して該表示部に記録モード選択画面９１を表示させる処理を行ってもよい。記録モード選択画面９１には、通常記録モード９１ａや削減記録モード９１ｂ等の記録モードの項目が設けられ、いずれかの記録モードにカーソル９１ｃが合わせられている。すなわち、記録モード選択画面９１は、通常記録モード９１ａと削減記録モード９１ｂとを含む記録モードの選択画面である。通常記録モード９１ａは、トランスポートストリームＴＳ１に含まれる字幕用ＴＳパケット（トランスポートパケット）及びデータ放送用ＴＳパケットを残す記録モードである。削減記録モード９１ｂは、字幕用ＴＳパケット及びデータ放送用ＴＳパケットを削除し映像用ＴＳパケット及び音声用ＴＳパケットをそれぞれ一のパケット識別子ＰＩＤのＴＳパケットのみとする記録モードである。カーソル９１ｃは、カーソルキー２２ｃ中の下カーソルキーの押し操作により順に下の記録モードに合わせることができ、カーソルキー２２ｃ中の上カーソルキーの押し操作により順に上の記録モードに合わせることができる。
【００４４】
Ｓ１０４では、記録モード選択画面９１に表示される記録モードの中から一の記録モードの選択入力を受け付ける。この処理は、例えば、記録モード選択画面９１中の項目をカーソルキー２２ｃの操作により選択して決定キー２２ｄを押す操作を受け付ける処理とすることができる。Ｓ１０６では、受け付けた記録モードに応じて処理を分岐させる。
【００４５】
通常記録モード９１ａの選択入力が受け付けられたとき、マイコン１１は、通常記録モードの設定処理を行い（Ｓ１０８）、記録モード選択処理を終了させる。例えば、マイコン１１は、複数のチャンネル（例えば1ch〜3ch）から選ばれる一の記録用チャンネル（例えば1ch）の情報を表したＴＳパケット群ＧＰ１をトランスポートストリームＴＳ１からフィルタリング（選択）するための設定情報ｄ１をトランスポートデコーダ１４へ送出する。すると、トランスポートデコーダ１４は、入力される設定情報ｄ１をメモリに保持し、一の記録用チャンネル（例えば1ch）の情報を表したＴＳパケット群ＧＰ１をトランスポートストリームＴＳ１からフィルタリングし、選択したＴＳパケット群ＧＰ１を用いてパーシャルトランスポートストリームＴＳ２を生成する。
【００４６】
図７は、放送記録装置（１）で行われる通常記録処理をフローチャートにより例示している。ここで、上記設定情報ｄ１を保持したトランスポートデコーダ１４がＳ２０２〜Ｓ２０６の処理を主体となって行い、記録再生部１６がＳ２０８の処理を主体となって行う。本通常記録処理は、通常記録手段Ｕ２に対応し、トランスポートストリームＴＳ１が入力されると行われる。
通常記録処理が開始されると、トランスポートストリームＴＳ１から一の記録用チャンネル（例えば1ch）及びＰＡＴのＴＳパケット群ＧＰ１を選択する（Ｓ２０２）。図４の例では、ＰＩＤが”０ｘ００”（ＰＡＴ）、及び、”０ｘ１０１”（ＰＭＴ Ｐ１）〜”０ｘ１０８”（データ放送用ＴＳパケットＤ１）となっているＴＳパケットを選択することになる。従って、図７に示すように、記録用チャンネルでないチャンネル（例えば2chと3ch）のＴＳパケット（Ｖ２１等）がトランスポートストリームＴＳ１から除かれる。
【００４７】
Ｓ２０４では、元のＰＡＴをパーシャルトランスポートストリームＴＳ２に適したＰＡＴに書き換える。この処理は、例えば、元のＰＡＴに1ch〜3chを表すＰＭＴのＰＩＤ一覧が含まれているとき、記録しない2ch及び3chを表すＰＭＴのＰＩＤを削除して記録する1chを表すＰＭＴのＰＩＤを残すような処理とすることができる。
なお、必要に応じてＰＭＴを書き換えてもよい。
【００４８】
Ｓ２０６では、記録する番組の番組情報を抽出し、抽出した番組情報に基づいてＳＩＴを作成しパーシャルトランスポートストリームＴＳ２に多重する。
Ｓ２０８では、生成したパーシャルトランスポートストリームＴＳ２を記録媒体Ｍ１に記録する。
【００４９】
一方、削減記録モード９１ｂの選択入力が受け付けられたとき、マイコン１１は、削減記録モードの設定処理を行い（Ｓ１１０）、記録モード選択処理を終了させる。例えば、マイコン１１は、複数のチャンネル（例えば1ch〜3ch）から選ばれる一の記録用チャンネル（例えば1ch）の情報を表したＴＳパケット群ＧＰ１から字幕用ＴＳパケット（例えばＣ１）及びデータ放送用ＴＳパケット（例えばＤ１）を削除し映像用ＴＳパケット（例えばＶ１１，Ｖ１２）及び音声用ＴＳパケット（例えばＡ１１，Ａ１２）をそれぞれ一のパケット識別子ＰＩＤのＴＳパケットのみとした削除済ＴＳパケット群ＧＰ２をトランスポートストリームＴＳ１からフィルタリング（選択）するための設定情報ｄ２をトランスポートデコーダ１４へ送出する。すると、トランスポートデコーダ１４は、入力される設定情報ｄ２をメモリに保持し、一の記録用チャンネル（例えば1ch）の情報から選ばれる削除済ＴＳパケット群ＧＰ２をトランスポートストリームＴＳ１からフィルタリングし、選択した削除済ＴＳパケット群ＧＰ２を用いてパーシャルトランスポートストリームＴＳ３を生成する。
【００５０】
図８は、放送記録装置（１）で行われる削減記録処理をフローチャートにより例示している。ここで、上記設定情報ｄ２を保持したトランスポートデコーダ１４がＳ３０２〜Ｓ３０８の処理を主体となって行い、記録再生部１６がＳ３１０の処理を主体となって行う。本削減記録処理は、削減記録手段Ｕ３に対応し、トランスポートストリームＴＳ１が入力されると行われる。
削減記録処理が開始されると、トランスポートストリームＴＳ１から一の記録用チャンネル（例えば1ch）の情報から選ばれる一の映像用ＴＳパケット及び一の音声用ＴＳパケット（対象ＴＳパケット）並びにＰＡＴの削除済ＴＳパケット群ＧＰ２を選択する（Ｓ３０２）。図５の例では、ＰＩＤが”０ｘ００”（ＰＡＴ）、”０ｘ１０１”（ＰＭＴ Ｐ１）、”０ｘ１０２”（映像用ＴＳパケット）、及び、”０ｘ１０３”（音声用ＴＳパケット）となっているＴＳパケットを選択することになる。従って、図８に示すように、記録用チャンネルでないチャンネル（例えば2chと3ch）のＴＳパケット（Ｖ２１等）のみならず、記録用チャンネル（例えば1ch）の音声用ＴＳパケットＡ１２、字幕用ＴＳパケットＣ１１，Ｃ１２，Ｃ１３、及び、データ放送用ＴＳパケットＤ１もトランスポートストリームＴＳ１から除かれる。
【００５１】
Ｓ３０４では、元のＰＭＴ（Ｐ１）をパーシャルトランスポートストリームＴＳ３に適したＰＭＴ（Ｐ１’）に書き換える。この処理は、例えば、元のＰＭＴに記録用チャンネル1chの各ストリーム（Ｖ１１，Ａ１１，Ａ１２，Ｃ１１，Ｃ１２，Ｃ１３，Ｄ１）のＰＩＤ一覧が含まれているとき、記録しないストリーム（Ａ１２，Ｃ１１，Ｃ１２，Ｃ１３，Ｄ１）のＰＩＤを削除して記録するストリーム（Ｖ１１，Ａ１１）を表すＰＩＤを残すような処理とすることができる。
Ｓ３０６では、元のＰＡＴをパーシャルトランスポートストリームＴＳ３に適したＰＡＴに書き換える。この処理は、例えば、元のＰＡＴに1ch〜3chを表すＰＭＴのＰＩＤ一覧が含まれているとき、記録しない2ch及び3chを表すＰＭＴのＰＩＤを削除して記録する1chを表すＰＭＴのＰＩＤを残すような処理とすることができる。
【００５２】
Ｓ３０８では、記録する番組の番組情報を抽出し、抽出した番組情報に基づいてＳＩＴを作成しパーシャルトランスポートストリームＴＳ３に多重する。
Ｓ３１０では、生成したパーシャルトランスポートストリームＴＳ３を記録媒体Ｍ１に記録する。
【００５３】
通常記録モードのとき、記録媒体Ｍ１に記録されるパーシャルトランスポートストリームＴＳ２は、図４に例示されるように、映像、音声、字幕、データ放送、等の１チャンネル分の情報が含まれる。一方、削減記録モードのとき、記録媒体Ｍ１に記録されるパーシャルトランスポートストリームＴＳ３は、１チャンネル分の情報からさらに字幕用ＴＳパケットＣ１、データ放送用ＴＳパケットＤ１、及び、音声用ＴＳパケットＡ１２が削除される。パーシャルＴＳを記録するための記録媒体Ｍ１のデータ容量には限りがあるので、パーシャルＴＳの記録データ量が削減されることは利便性の向上に繋がる。
【００５４】
（４）変形例：
ＴＳに含まれる一の記録用チャンネルの情報には、複数のＰＩＤの映像用ＴＳパケットが含まれる場合がある。この場合、図９に例示するように、記録用チャンネル（1ch）の情報を表したＴＳパケット群から映像用ＴＳパケット（Ｖ１１，Ｖ１２）を一のパケット識別子ＰＩＤのＴＳパケット（Ｖ１１）のみとした削除済ＴＳパケット群を選択し、該選択した削除済ＴＳパケット群を用いてパーシャルトランスポートストリームＴＳ３を生成して記録媒体Ｍ１に記録してもよい。
【００５５】
図１０（ａ）〜（ｃ）は、図４で示したトランスポートストリームＴＳ１から生成されるパーシャルトランスポートストリームＴＳ３の構成を例示している。図１０（ａ）に例示するように、記録用チャンネル（1ch）の情報を表したＴＳパケット群から字幕用ＴＳパケット及びデータ放送用ＴＳパケットを削除する一方で複数種類の音声用ＴＳパケットＡ１１，Ａ１２を残した削除済ＴＳパケット群を選択し、該選択した削除済ＴＳパケット群を用いてパーシャルトランスポートストリームＴＳ３を生成して記録媒体Ｍ１に記録してもよい。
図１０（ｂ）に例示するように、記録用チャンネル（1ch）の情報を表したＴＳパケット群から字幕用ＴＳパケットを削除する一方でデータ放送用ＴＳパケットＤ１を残した削除済ＴＳパケット群を選択し、該選択した削除済ＴＳパケット群を用いてパーシャルトランスポートストリームＴＳ３を生成して記録媒体Ｍ１に記録してもよい。
【００５６】
図１０（ｃ）に例示するように、記録用チャンネル（1ch）の情報を表したＴＳパケット群からデータ放送用ＴＳパケットを削除する一方で字幕用ＴＳパケットＣ１１，Ｃ１２，Ｃ１３を残した削除済ＴＳパケット群を選択し、該選択した削除済ＴＳパケット群を用いてパーシャルトランスポートストリームＴＳ３を生成して記録媒体Ｍ１に記録してもよい。前記字幕用ＴＳパケットＣ１１，Ｃ１２，Ｃ１３は、一部が削除されてもよい。
図１０（ｄ）は、図９で示したトランスポートストリームＴＳ１から生成されるパーシャルトランスポートストリームＴＳ３の構成を例示している。図１０（ｄ）に例示するように、記録用チャンネル（1ch）の情報を表したＴＳパケット群から字幕用ＴＳパケット及びデータ放送用ＴＳパケットを削除する一方で複数種類の映像用ＴＳパケットＶ１１，Ｖ１２を残した削除済ＴＳパケット群を選択し、該選択した削除済ＴＳパケット群を用いてパーシャルトランスポートストリームＴＳ３を生成して記録媒体Ｍ１に記録してもよい。
【００５７】
以上説明したように、本発明によると、種々の態様により、利便性の良い放送記録装置、放送記録装置の利便性を向上させる放送記録方法、等を提供することができる。
【００５８】
なお、従属請求項に係る構成要件を有しておらず独立請求項に係る構成要件のみからなる装置、方法、等でも、上述した基本的な作用、効果が得られる。
【００５９】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６０】
１…記録再生装置（放送記録装置）、
１１…マイコン（マイクロコンピュータ）、
２０…操作入力部、
３０…不揮発性メモリ、
９１…記録モード選択画面、
９１ａ…通常記録モード、９１ｂ…削減記録モード、９１ｃ…カーソル、
１００…表示装置、
ｄ１，ｄ２…設定情報、
ＧＰ１…ＴＳパケット群（トランスポートパケット群）、
ＧＰ２…削除済ＴＳパケット群（削除済トランスポートパケット群）、
Ｍ１…記録媒体、
ＴＳ１…トランスポートストリーム、
ＴＳ２，ＴＳ３…パーシャルトランスポートストリーム、
ＴＳＰ１…ＴＳパケット（トランスポートパケット）、
ＴＳＰ２…ヘッダ、ＴＳＰ３…アダプテーションフィールド、ＴＳＰ４…ペイロード、
Ｕ１…モード選択手段、Ｕ２…通常記録手段、Ｕ３…削減記録手段。
【図１】
2012147223.tif 000003
【図２】
2012147223.tif 000004
【図３】
2012147223.tif 000005
【図４】
2012147223.tif 000006
【図５】
2012147223.tif 000007
【図６】
2012147223.tif 000008
【図７】
2012147223.tif 000009
【図８】
2012147223.tif 000010
【図９】
2012147223.tif 000011
【図１０】
2012147223.tif 000012